(57)【要約】【課題】乗員の保護時におけるサイドエアバッグの内圧を適正なものとして、乗員に対する保護性能を向上することができるサイドエアバッグを提供する。【解決手段】バッグ本体２１内のガスが通過する通路を有するように一対の基布２０ａ，２０ｂの対向する部分同士を縫着することによりシーム２３を形成する。このシーム２３により、バッグ本体２１の内部空間を主膨張室２４と副膨張室２５とに区画し、副膨張室２５を、シーム２３における一対の基布２０ａ，２０ｂ間の通路を通過した主膨張室２４からのガスにより膨張させる。【選択図】図２
2008155918.tif 000002
【特許請求の範囲】
【請求項１】
車両のボディサイド部に所定値以上の衝撃が加わったとき、車室内のシートに着座している乗員とボディサイド部との間にてバッグ本体が展開するサイドエアバッグにおいて、
前記バッグ本体による前記乗員の受止め時に、前記バッグ本体の展開初期の内圧を確保するとともに、前記乗員に作用する反力が低減するように前記バッグ本体における所定の膨張空間の内圧を低減する圧力調整手段を設け、その圧力調整手段は、前記バッグ本体における所定の膨張空間の内部のガスが外部へ向かって通過する隙間が形成されるように、前記バッグ本体の対向する基布間に形成した通路であり、前記通路を基布間の縫着部に形成したことを特徴とするサイドエアバッグ。
【請求項２】
前記バッグ本体の内部空間を主膨張室と副膨張室とに区画し、前記副膨張室を、前記通路を通過した前記主膨張室の内部のガスにより膨張するように構成したことを特徴とする請求項１に記載のサイドエアバッグ。
【請求項３】
前記副膨張室を、前記主膨張室に対して車両前方側に配置したことを特徴とする請求項２に記載のサイドエアバッグ。
【請求項４】
前記主膨張室を、前記乗員の胸郭部に対応するように配置したことを特徴とする請求項２または請求項３に記載のサイドエアバッグ。
【発明の詳細な説明】
【技術分野】
【０００１】
本発明は、車両のボディサイド部に加えられた衝撃を緩和して乗員を保護するサイドエアバッグに関する。
【背景技術】
【０００２】
従来、この種のサイドエアバッグとして、その内部が、乗員の腕部よりも後側で膨張可能な第１展開領域と、その前部において乗員の腕部に当接して膨張可能な第２展開領域とに隔壁を介して区画される構成のものが提案されている。このサイドエアバッグでは、サイドエアバッグ装置のインフレータから発生されるガスにより第１展開領域が直ちに展開膨張され、その後に第２展開領域が展開膨張される（特許文献１参照。）。
【特許文献１】特開２０００―２８０８５３号公報（第４−８頁、第４−１０図）
【発明の開示】
【発明が解決しようとする課題】
【０００３】
ところが、前記特許文献１に記載のサイドエアバッグでは、その全体が略同一の内圧及び形態で展開膨張されるようになっている。これにより、乗員の保護時におけるサイドエアバッグの内圧が、そのサイドエアバッグに対する乗員の進入量に応じて高くなり、サイドエアバッグから乗員が受ける反力も高くなる傾向があった。
【０００４】
また、サイドエアバッグには、インフレータから供給されるガスのうちの余剰分をサイドエアバッグの外部に排出するためのベントホールが形成されたものがある。このサイドエアバッグでは、図１０において点線の特性Ｃ１にて示すように、展開膨張されたサイドエアバッグによる乗員の拘束初期には、サイドエアバッグ内からベントホールを介して外部にガスが排出されるために、サイドエアバッグの内圧が、ベントホールが無い場合の値よりも小さくなる。このため、乗員に作用する反力が所要の値になるためには、インフレータの出力を上げるか、バッグ容量を小さくする必要があった。
【０００５】
本発明は、このような従来の技術に存在する問題点に着目してなされたものである。その目的としては、乗員の保護時におけるサイドエアバッグの内圧を適正なものとして、乗員に対する保護性能を向上することができるサイドエアバッグを提供することにある。
【課題を解決するための手段】
【０００６】
前記目的を達成するために、本願請求項１に記載の発明は、車両のボディサイド部に所定値以上の衝撃が加わったとき、車室内のシートに着座している乗員とボディサイド部との間にてバッグ本体が展開するサイドエアバッグにおいて、前記バッグ本体による前記乗員の受止め時に、前記バッグ本体の展開初期の内圧を確保するとともに、前記乗員に作用する反力が低減するように前記バッグ本体における所定の膨張空間の内圧を低減する圧力調整手段を設け、その圧力調整手段は、前記バッグ本体における所定の膨張空間の内部のガスが外部へ向かって通過する隙間が形成されるように、前記バッグ本体の対向する基布間に形成した通路であり、前記通路を基布間の縫着部に形成したことを要旨とするものである。
【０００７】
また、本願請求項２に記載の発明は、前記請求項１に記載の発明において、前記バッグ本体の内部空間を主膨張室と副膨張室とに区画し、前記副膨張室を、前記通路を通過した前記主膨張室の内部のガスにより膨張するように構成したことを要旨とするものである。
【０００８】
また、本願請求項３に記載の発明は、前記請求項２に記載の発明において、前記副膨張室を、前記主膨張室に対して車両前方側に配置したことを要旨とするものである。
また、本願請求項４に記載の発明は、前記請求項２または請求項３に記載の発明において、前記主膨張室を、前記乗員の胸郭部に対応するように配置したことを要旨とするものである。
【発明の効果】
【０００９】
本願請求項１に記載の発明では、展開膨張されたサイドエアバッグによって乗員が受け止められると、その乗員にはバッグ本体からの反力が作用する。そして、バッグ本体の所定の膨張空間内のガスの一部が、縫着部に形成された通路を介してバッグ本体内の所定の膨張空間とは異なる空間またはバッグ本体の外部へ流出する。この際、圧力調整手段により、バッグ本体の展開初期（乗員の拘束初期）の内圧が確保されるとともに、乗員の拘束中期以降におけるバッグ本体の所定の膨張空間の内圧が低減されて乗員に作用する反力が低減される。このため、乗員に作用する反力が過大になることが抑制され、乗員に対する保護性能が向上される。
【００１０】
また、通路は、縫製糸を用いてバッグ本体の基布を縫着するのみで通路が形成されるため、その通路が容易に形成される。
また、本願請求項２に記載の発明では、前記請求項１に記載の発明の効果に加えて、バッグ本体にガスが供給されると、まず、主膨張室が膨張される。そして、この主膨張室が展開膨張されたサイドエアバッグに対して乗員が進入すると、主膨張室が押圧され、その主膨張室内のガスの一部が前記通路を通過して副膨張室内に流入する。これにより、副膨張室が膨張されるとともに、主膨張室の内圧が低減される。
【００１１】
また、本願請求項３に記載の発明では、前記請求項２に記載の発明の効果に加えて、副膨張室の膨張により、乗員に対する保護領域が拡大される。
また、本願請求項４に記載の発明では、前記請求項２または請求項３に記載の発明の効果に加えて、主膨張室による乗員の胸郭部の保護性が向上される。
【発明を実施するための最良の形態】
【００１２】
（第１実施形態）
以下に、本発明の第１実施形態について、図１及び図２を参照して説明する。
図１及び図２（ａ）、（ｂ）に示すように、運転席側のフロントシート１１の背もたれ部１１ａの右側内部には、車両のボディサイド部の一部を構成するドア１２と対応するようにサイドエアバッグ装置１３がケース１４内に収容された状態で埋設配置されている。なお、図１及び図２（ａ）、（ｂ）では、運転席側のフロントシート１１のみを図示しているが、助手席側のフロントシートの左側内部にも同様なサイドエアバッグ装置が内装されている。
【００１３】
図１に示すように、前記サイドエアバッグ装置１３は、ケース１４内に固定されたガス発生源であるインフレータ１５と、このインフレータ１５から発生するガスが供給される袋状のサイドエアバッグ２０とを備えている。インフレータ１５の容器の内部には、サイドエアバッグ２０を展開膨張させるためのガス発生剤が収容され、その容器の下部には、前記ガスを噴出させるためのガス噴出口１５ａが形成されている。
【００１４】
前記インフレータ１５には、前記ボディサイド部に加えられた衝撃を検出するセンサ（図示略）が電気的に接続されている。そして、ボディサイド部に対する他の車両の側突によってボディサイド部に所定値以上の衝撃が加わったとき、前記センサからの検出信号が制御回路（図示略）に入力され、この制御回路からインフレータ１５に対して駆動電流が出力されるようになっている。
【００１５】
図１及び図２（ａ）に示すように、前記サイドエアバッグ２０のバッグ本体２１は、例えば織布等からなる一対の基布２０ａ，２０ｂから構成されている。そして、バッグ本体２１は、一対の基布２０ａ，２０ｂを重合した状態でそれらの周縁部を縫着接合して外周縫着部２２を形成することにより、全体として袋状をなすように形成されている。このサイドエアバッグ２０は、折り畳まれた状態で前記ケース１４内に収容されている。
【００１６】
ここで、前記外周縫着部２２は、材質がポリアミド６６、太さが１６８０デニール、引張強度が１００〜２００ニュートンである縫製糸（上糸及び下糸）を用い、３ｍｍピッチの本縫いにより形成されている。なお、この縫製糸の種類や縫い方は、上述のものには限定されない。すなわち、縫製糸の材質は例えばポリエステル等であってもよいし、縫い方は、例えば環縫い、しつけ縫い等であってもよい。また、縫製糸の太さや引張強度についても、例えば前記インフレータ１５からのガスの供給量やサイドエアバッグ２０の大きさ等に応じて適宜に変更可能である。
【００１７】
本実施形態では、図１及び図２（ａ）に示すように、サイドエアバッグ２０には、前記基布２０ａ，２０ｂの対向する部分同士を互いに縫着接合した縫着部としてのシーム２３が形成されている。このシーム２３は、バッグ本体２１の上端部から下端部にかけて前記乗員Ｐの胸部及び腹部における前面に沿うように延設されている。また、このシーム２３は、第１実施形態の圧力調整手段を構成している。そして、このシーム２３により、サイドエアバッグ２０の内部が、所定の膨張空間としての主膨張室２４と副膨張室２５とに区画されている。
【００１８】
前記シーム２３は、材質がポリアミド６６、太さが１２６０デニール、引張強度が１００〜２００ニュートンである縫製糸（上糸及び下糸）を用い、６ｍｍピッチの本縫いにより形成されている。
【００１９】
なお、この縫製糸の種類や縫い方は、上述のものには限定されない。縫製糸の材質は例えばポリエステル等であってもよいし、縫い方は、例えば環縫い、しつけ縫い等であってもよい。また、縫合ピッチや縫製糸の太さや引張強度についても、例えば前記インフレータ１５からのガスの供給量やサイドエアバッグ２０の大きさ等に応じて適宜に変更可能である。ここで、縫合ピッチについては、乗員Ｐが、膨張展開された主膨張室２４に進入した際に、その乗員Ｐに作用する反力を好適に低減できることから、４〜９ｍｍとするのが好ましい。
【００２０】
また、本実施形態では、主膨張室２４は、展開膨張時において前記乗員Ｐの肩部から腰部までの部位に対応配置され、副膨張室２５は、膨張時において主膨張室２４に対して車両前方側に対応配置されるように形成されている。また、サイドエアバッグ２０の展開膨張時には、前記インフレータ１５内で発生したガスがバッグ本体２１の主膨張室２４に供給され、その主膨張室２４内のガスの一部が、シーム２３を通過して副膨張室２５内に流入するように構成されている。
【００２１】
次に、前記サイドエアバッグ装置１３の動作について説明する。
前記車両のボディサイド部に対する他の車両による側突により、ボディサイド部に所定値以上の衝撃が加わると、前記センサは、その衝撃を検出し、前記制御回路に対して検出信号を出力する。次いで、制御回路は、インフレータ１５に対して駆動電流を出力する。この駆動電流により、インフレータ１５内のガス発生剤が発火して、ガスが発生する。
【００２２】
こうして発生したガスは、インフレータ１５のガス噴出口１５ａを介し、まず、バッグ本体２１の主膨張室２４に噴出供給される。これにより、主膨張室２４が前記ケース１４内で膨張してその主膨張室２４内の圧力が高まり、バッグ本体２１がケース１４の内部から車両の室内へと突出する。そして、図２（ａ）に示したように、主膨張室２４は、フロントシート１１に着座している乗員Ｐとドア１２との間にてその全体が瞬時に展開膨張される。その後、図２（ｂ）に示すように、フロントシート１１に着座している乗員Ｐは、車両に加えられた衝撃により、膨張展開された状態の主膨張室２４に対して進入する。これにより、乗員Ｐは、腰部から肩部までの部位が主膨張室２４によって受け止められる。
【００２３】
ここで、前記シーム２３は、前記一対の基布２０ａ，２０ｂ同士を６ｍｍピッチで本縫いすることにより形成されている。これにより、シーム２３において、縫製糸である上糸と下糸との各絡み合い部間には、一対の基布２０ａ，２０ｂ間に比較的大きな通路が形成される。そのため、乗員Ｐが主膨張室２４に対して進入すると、その乗員Ｐからの押圧力により、主膨張室２４内のガスの一部がシーム２３における一対の基布２０ａ，２０ｂの間の前記通路を介して副膨張室２５内へと流入するようになる。そして、副膨張室２５が主膨張室２４から流入したガスによって膨張され、主膨張室２４の内圧が低減される。
【００２４】
この際、サイドエアバッグ２０による乗員Ｐの保護時において、主膨張室２４による乗員Ｐの拘束初期から拘束中期までの期間、すなわち乗員Ｐの主膨張室２４に対する進入量が少ない期間では、主膨張室２４からシーム２３の前記通路を通過して副膨張室２５へ流入するガスは、ほとんどない。そのため、図１０において実線の特性Ｃ２に示されるように、主膨張室２４に対する乗員Ｐの進入初期の主膨張室２４の内圧を所要の値に近い値とすることができる。
【００２５】
また、乗員Ｐの主膨張室２４に対する進入量が多くなる拘束中期から拘束終期までの期間では、その進入に基づいて主膨張室２４からシーム２３の前記通路を通過して副膨張室２５へ流入するガスの量が増加する。そのため、図１０中の前記特性Ｃ２に示されるように、主膨張室２４の内圧の増加が抑制される。なお、図１０中、一点鎖線の特性Ｃ３にて示すように、サイドエアバッグ２０による乗員Ｐの保護性能を向上するために、乗員Ｐに対する拘束中期から拘束終期までの期間における主膨張室２４の内圧が略一定となるように、シーム２３を形成することが望ましい。
【００２６】
従って、この第１実施形態によれば、以下のような効果を得ることができる。
（１）このサイドエアバッグ２０では、バッグ本体２１内のガスが通過する隙間が形成されるように、一対の基布２０ａ，２０ｂの対向する部分同士を縫着により接合したシーム２３を形成している。また、このシーム２３により、バッグ本体２１の内部空間を主膨張室２４と副膨張室２５とに区画し、副膨張室２５を、シーム２３において縫製糸である上糸と下糸との各絡み合い部間の通路を通過した主膨張室２４からのガスにより膨張させるようにしている。そして、主膨張室２４に対する乗員Ｐの受止め時に、主膨張室２４の展開初期の内圧を確保するとともに、乗員Ｐに作用する主膨張室２４からの反力が低減されるように主膨張室２４の内圧を低減している。
【００２７】
これにより、主膨張室２４による乗員Ｐの拘束初期から拘束中期までの期間においては、主膨張室２４の展開初期の内圧を確保することができ、乗員Ｐが受ける主膨張室２４からの反力を所要の値に近い値とすることができる。このため、サイドエアバッグ２０の乗員Ｐに対する初期拘束性能を向上することができる。また、拘束中期から拘束終期までの期間においては、主膨張室２４の内圧の上昇を抑制することができ、乗員Ｐに作用する主膨張室２４からの反力が過大になることを抑制することができる。これらの結果、サイドエアバッグ２０の乗員Ｐに対する保護性能を向上することができる。
【００２８】
また、前記通路を、縫製糸を用いたバッグ本体２１（一対の基布２０ａ，２０ｂ）に対する縫着により形成しているため、その通路を、バッグ本体２１に対して容易に形成することができる。
【００２９】
（２）このサイドエアバッグ２０では、副膨張室２５を、主膨張室２４に対して車両前方側に配置している。これにより、主膨張室２４からのシーム２３の前記通路を介したガスの流入による副膨張室２５の膨張により、サイドエアバッグ２０における乗員Ｐに対する保護領域が車両前方側に拡大される。このため、車両のボディサイド部に対する他の車両による側突時には、乗員Ｐの腕部を保護することが可能となる。
【００３０】
（３）このサイドエアバッグ２０では、シーム２３を、バッグ本体２１の上端部から下端部にかけて前記乗員Ｐの胸部及び腹部に沿うように延設している。そして、主膨張室２４を、乗員Ｐの胸郭部に対応するように配置している。これにより、主膨張室２４に乗員Ｐが受け止められる際に、その乗員Ｐの胸郭部を主膨張室２４により確実に保護することができる。
【００３１】
（変更例）
なお、本発明の第１実施形態は、以下のように変形してもよい。
・前記第１実施形態において、副膨張室２５の配設位置は、主膨張室２４に対して車両前方側の位置には限定されない。この副膨張室２５の配設位置は、例えば主膨張室２４に対して車両上方向及び下方向の少なくとも一方向側の位置等であってもよい。
【００３２】
・前記第１実施形態において、例えば図３に示すように、シーム２３を、バッグ本体２１に対し、主膨張室２４と副膨張室２５とを区画するように延びる線上にて断続的に形成する構成としてもよい。このようにした場合には、主膨張室２４内のガスの一部が、乗員Ｐの進入により、各シーム２３間の非縫着部２７における一対の基布２０ａ，２０ｂ間の通路（隙間）を介して副膨張室２５に流入し、その副膨張室２５が膨張される。
【００３３】
・前記第１実施形態において、シーム２３を、例えば図４に示すように、主膨張室２４において乗員Ｐの胸郭部に対応する部位の車両左右方向における膨出を規制するように形成する構成としてもよい。
【００３４】
このようにした場合には、主膨張室２４において乗員Ｐの胸郭部と対応する部位の車両左右方向における膨出量は、乗員Ｐの肩部及び腰部に対応する部位の車両左右方向における膨出量に比べて小さくなる。これにより、乗員Ｐが主膨張室２４に対して進入した際に、その乗員Ｐの胸郭部が受ける主膨張室２４からの反力を低減することができ、その胸郭部を有効に保護することができる。
【００３５】
・前記第１実施形態において、例えば図５に示すように、副膨張室２５が主膨張室２４に対して車両前方側の斜め上部に形成されるように、シーム２３を、バッグ本体２１の上端部から中間部にかけて乗員Ｐの胸郭部における前面に沿うように延設する構成としてもよい。このようにすれば、バッグ本体２１における乗員Ｐの腰部と対応する部分にはシーム２３が形成されず、主膨張室２４の展開膨張時には、バッグ本体２１の乗員Ｐの腰部と対応する部分における車両左右方向の膨出量を増加させることができる。
【００３６】
・前記第１実施形態において、サイドエアバッグ２０は、例えば図６に示すように、バッグ本体２１に対して、主膨張室２４の内部を、乗員Ｐの肩部に対応する上部室２４ａと、胸郭部に対応する中間室２４ｂと、腰部に対応する下部室２４ｃとを形成するシーム部２８が形成されたものであってもよい。この場合、副膨張室２５を形成するための隙間を有するシーム２３を、バッグ本体２１の上端部から中間部にかけて延設する構成としてもよい。また、図７に示すように、バッグ本体２１をシーム部２８により上部区画室２４ｄと下部区画室２４ｅとに区画して、上部区画室２４ｄに図６と同様な副膨張室２５を設けた構成としてもよい。
【００３７】
なお、図６に示したサイドエアバッグ２０においては、インフレータ１５から供給されたガスが下部室２４ｃ、上部室２４ａ、中間室２４ｂの順に通過する。一方、図７に示したサイドエアバッグ２０においては、インフレータ１５からのガスが、バッグ本体２１内でインフレータ１５を包囲する包囲室２９の上下の開口２９ａから上部区画室２４ｄ及び下部区画室２４ｅに供給される。
【００３８】
・前記第１実施形態において、例えば図８に示すように、バッグ本体２１における副膨張室２５と対応する位置に、その副膨張室２５内のガスの一部を外部（車室内）に排出する排出口（ベントホール）３０を形成する構成としてもよい。このようにすれば、副膨張室２５内の余剰ガスを排出口３０を介して外部に排出することができる。なお、この排出口３０の配設位置や大きさや数等は、図８に示したものに限らず、サイドエアバッグ２０の大きさやインフレータ１５からのガス供給量等に応じて適宜に変更可能である。
【００３９】
・前記第１実施形態において、バッグ本体２１に対して複数のシーム２３を設けることにより、複数の副膨張室２５を形成する構成としてもよい。この場合、例えば、主膨張室２４の車両前方側に第１副膨張室を形成し、この第１副膨張室の車両前方側に第２副膨張室を形成する構成を採用することができる。
【００４０】
（第２実施形態）
つぎに、本発明の第２実施形態について、前記第１実施形態と異なる部分を中心に、図９を参照して説明する。
【００４１】
この第２実施形態では、図９に示すように、サイドエアバッグ２０のバッグ本体２１には、第１実施形態におけるシーム２３は形成されておらず、外周縫着部２２ａが前記通路を有するように構成されている。すなわち、この外周縫着部２２ａには、縫製糸である上糸と下糸との各絡み合い部間における一対の基布２０ａ，２０ｂ間に比較的大きな通路が形成されている。また、外周縫着部２２ａの縫着に用いられる縫製糸としては、第１実施形態におけるシーム２３に用いられる縫製糸と同様のものを使用することができる。また、外周縫着部２２ａの縫合ピッチや縫い方も第１実施形態におけるシーム２３と同様である。
【００４２】
このサイドエアバッグ２０では、インフレータ１５からのガスの供給により、バッグ本体２１が全体的に、フロントシート１１に着座している乗員Ｐとドア１２との間にて瞬時に展開膨張される。そして、乗員Ｐは、車両に加えられた衝撃により、膨張展開された状態のバッグ本体２１に対して進入し、腰部から肩部までの部位がバッグ本体２１によって受け止められる。
【００４３】
このとき、バッグ本体２１内のガスの一部が、乗員Ｐからの押圧力により、外周縫着部２２ａにおける一対の基布２０ａ，２０ｂの間の通路を介してバッグ本体２１の外部、すなわち車室内へと排出され、バッグ本体２１の内圧が低減される。
【００４４】
この際、バッグ本体２１による乗員Ｐの拘束初期から拘束中期までの期間では、バッグ本体２１から外周縫着部２２ａの前記通路を通過して車室内へ排出されるガスの量は少量であり、バッグ本体２１から乗員Ｐが受ける反力を所要の値に近い値とすることができる。また、乗員Ｐの拘束中期から拘束終期までの期間では、その進入に基づいてバッグ本体２１から外周縫着部２２ａの前記通路を通過して車室内へ排出されるガスの量が増加する。そのため、前記乗員Ｐが受ける反力が、乗員Ｐの主膨張室２４に対する進入量の増大に伴って増加されることが抑制される。
【００４５】
従って、この第２実施形態によれば、前記第１実施形態における（１）に記載の効果と同様の効果を得ることができる。
（変形例）
なお、本発明の第２実施形態は、以下のように変形してもよい。
【００４６】
・前記第２実施形態において、バッグ本体２１に対し、第１実施形態におけるシーム２３を形成する構成としてもよい。このようにすれば、バッグ本体２１の主膨張室内のガスの一部は、シーム２３及び外周縫着部２２ａにおける一対の基布２０ａ，２０ｂ間の前記通路を介して副膨張室及び車室内に排出され、主膨張室の内圧を好適に低減することができる。
【００４７】
その他、各実施形態に共通した変更可能な要素としては、以下のようなものがある。
・前記各実施形態において、シーム２３、外周縫着部２２ａの縫合ピッチを、所定の部位（１ヵ所または複数ヵ所）にて局部的に小さくする構成としてもよい。すなわち、シーム２３、外周縫着部２２ａにおいて、バッグ本体２１内のガスが通過可能な通路を部分的に設けるようにしてもよい。このようにしても、バッグ本体２１内の内圧を調整することができる。
【００４８】
・前記各実施形態では、前記通路を、一対の基布２０ａ，２０ｂに対して縫着することにより形成したが、この例には限定されない。この通路を、例えば、一対の基布２０ａ，２０ｂにおける対向する部分同士の接着や溶着等により形成する構成としてもよい。なお、この場合には、接着部や溶着部等は、バッグ本体２１内のガスが通過可能な隙間を形成すべく、断続的に形成される。
【００４９】
・前記各実施形態において、バッグ本体２１を１枚の基布から構成し、その基布を山折りして、その山折りされた基布の周縁部を縫着することにより形成するようにしてもよい。また、バッグ本体２１を、例えば袋織りした１枚の織布で形成する構成としてもよい。また、後者の場合には、前記通路を、基布の袋織りにより織成して形成してもよい。
【００５０】
・前記各実施形態において、バッグ本体２１を、例えば不織布や合成樹脂シート等の他の材料を用いて形成する構成としてもよい。
・前記各実施形態では、フロントシート１１に設けられたサイドエアバッグ装置１３のサイドエアバッグ２０の例を示したが、この例には限定されない。本発明は、例えば車両のドア１２等に設けられたサイドエアバッグ装置のサイドエアバッグにも同様に適用することができる。
【００５１】
・前記各実施形態では、運転席側及び助手席側のフロントシート１１に設けられたサイドエアバッグ装置１３のサイドエアバッグ２０の例を示したが、この例には限定されない。本発明は、例えば車両の後部座席等に設けられたサイドエアバッグ装置のサイドエアバッグにも同様に適用することができる。
【図面の簡単な説明】
【００５２】
【図１】第１実施形態のサイドエアバッグの展開膨張状態を示す側面図。
【図２】（ａ）は、乗員が進入する前のサイドエアバッグを示す断面図、（ｂ）は、乗員が進入した後のサイドエアバッグを示す断面図。
【図３】変形例にかかるサイドエアバッグの展開状態を示す側面図。
【図４】他の変形例にかかるサイドエアバッグの展開状態を示す側面図。
【図５】他の変形例にかかるサイドエアバッグの展開状態を示す側面図。
【図６】他の変形例にかかるサイドエアバッグの展開状態を示す側面図。
【図７】他の変形例にかかるサイドエアバッグの展開状態を示す側面図。
【図８】他の変形例にかかるサイドエアバッグの展開状態を示す側面図。
【図９】第２実施形態のサイドエアバッグの展開状態を示す側面図。
【図１０】乗員が受け止められてからの経過時間に対するサイドエアバッグの内圧の変化を示すグラフ。
【符号の説明】
【００５３】
１１…シートとしてのフロントシート、１２…ボディサイド部の一部を構成するドア、２０…サイドエアバッグ、２０ａ，２０ｂ…基布、２１…バッグ本体、２２ａ…圧力調整手段である縫着部としての外周縫着部、２３…圧力調整手段である縫着部としてのシーム、２４…主膨張室、２５…副膨張室、Ｐ…乗員。
【図１】
2008155918.tif 000003
【図２】
2008155918.tif 000004
【図３】
2008155918.tif 000005
【図４】
2008155918.tif 000006
【図５】
2008155918.tif 000007
【図６】
2008155918.tif 000008
【図７】
2008155918.tif 000009
【図８】
2008155918.tif 000010
【図９】
2008155918.tif 000011
【図１０】
2008155918.tif 000012